(57)【特許請求の範囲】
【請求項１】
床面上に起立する複数の脚と、
複数の前記脚の上部に支持される天板と、
前記床面に沿って設けられ、複数の前記脚の下部同士を連結する下部連結部材と、を備え、
前記下部連結部材には、前記脚の下部同士を連結する方向に沿って連続する配線収容部が形成され、
前記下部連結部材は、前記脚の下部同士を連結する方向に延びる連結部と、前記連結部から下方に突出し、前記連結部の幅方向両側に間隔を空けて形成された延出壁部と、を備え、
前記連結部および前記延出壁部で囲まれた空間が、配線収容部とされ、
前記延出壁部は、前記連結部の幅方向両端部に対して内方にオフセットして形成されていることを特徴とする天板付家具。
【請求項２】
前記延出壁部は、前記連結部が連続する方向に沿って延びるリブであることを特徴とする請求項１に記載の天板付家具。
【請求項３】
前記連結部の幅方向両側に設けられた前記延出壁部の間に、前記脚と前記下部連結部材とを連結する連結具、および前記床面に接地して前記脚の高さ調整を行うアジャスタの少なくとも一方が設けられていることを特徴とする請求項１または２に記載の天板付家具。
【請求項４】
床面上に起立する複数の脚と、
複数の前記脚の上部に支持される天板と、
前記床面に沿って設けられ、複数の前記脚の下部同士を連結する下部連結部材と、を備え、
前記下部連結部材には、前記脚の下部同士を連結する方向に沿って連続する配線収容部が形成され、
前記脚に、上下方向に連続する配線挿通空間が形成され、前記脚の下面又は側面に、前記配線収容部と前記配線挿通空間とを連通する連通部が形成され、
前記下部連結部材は、前記脚の下端部に下方から突き当たるよう設けられ、
前記下部連結部材には、前記脚の下端部に突き当たる部位に、下方の前記配線収容部と前記脚の配線挿通空間とを連通する開口部が形成されていることを特徴とする天板付家具。
【発明の詳細な説明】
【技術分野】
【０００１】
本発明は、テーブル等の天板付家具に関する。
【背景技術】
【０００２】
各種の会議、作業、飲食等を行うテーブル、デスク等の天板付家具は、天板と、天板を支持する支持脚と、を備えている。
【０００３】
このような天板付家具において、天板の大きさや、天板上に載置される荷重の大きさ等に応じ、支持脚を強固なものとする必要がある。
例えば、特許文献１には、左右の脚同士を連結する横架材を備えた構成が開示されている。このような横架材により、支持脚をサポートすることで、支持脚を強固なものとしている。
また、特許文献２には、天板の下面に枠材を設け、この枠材によって互いに対向する支持脚同士を連結する構成が開示されている。このような構成により、支持脚の上部同士が一体に連結され、天板に対する支持脚の接合強度が高まる。
【０００４】
ところで、天板付家具において、天板上で使用する電子機器等において給電、通信等を行う場合、配線を床面から天板まで導く必要がある。そこで、特許文献１、２には、このような天板付家具において、天板上で使用する電子機器等において給電、通信等を行うための配線を、支持脚の内部に形成した配線挿通空間に挿通させることによって、床面上から天板まで導く構成が開示されている。このような構成によれば、配線が外部に露出するのを抑え、外観の体裁を向上させたり、使用者の足に絡まって配線を損傷することが防止される。
【先行技術文献】
【特許文献】
【０００５】
【特許文献１】実公平５−２２０９６号公報
【特許文献２】特開２０００−１６６６５７号公報
【発明の概要】
【発明が解決しようとする課題】
【０００６】
しかしながら、特許文献１に開示された構成においては、脚同士を連結する横架材が天板の下方に設けられているため、使用者の下肢が横架材に干渉し、下肢収容空間が十分に確保できない。
また、特許文献２に開示された構成においては、天板が一方向に長く、支持脚同士の間隔が長いと、天板に作用する荷重により、天板および枠材が下方に撓み、支持脚の下端部同士の間隔が長くなる方向に変形することがある。このような現象を防ぐには、天板や枠材を上下方向に厚くしてその強度を高めることが考えられる。しかし、このような手法では、天板の下方の空間が狭くなり、やはり下肢収容空間が十分に確保できないことがある。
【０００７】
また、特許文献１、２に開示されたように支持脚の内部に配線を挿通させるには、床面上に設けられた電源等から支持脚の下端部までは、配線が床面上に露出して沿うこととなる。このため、外観が損なわれたり、天板の下方で床面を沿う配線を使用者が踏んでしまい好ましくない。
【０００８】
そこでなされた本発明の目的は、強度を高めつつ、使用者の下肢との干渉を抑えるとともに、配線の露出を抑えて、外観を向上することができる天板付家具を提供することである。
【課題を解決するための手段】
【００１２】
また、この発明に係る天板付家具は、床面上に起立する複数の脚と、複数の前記脚の上部に支持される天板と、前記床面に沿って設けられ、複数の前記脚の下部同士を連結する下部連結部材と、を備え、前記下部連結部材には、前記脚の下部同士を連結する方向に沿って連続する配線収容部が形成され、前記下部連結部材は、前記脚の下部同士を連結する方向に延びる連結部と、前記連結部から下方に突出し、前記連結部の幅方向両側に間隔を空けて形成された延出壁部と、を備え、前記連結部および前記延出壁部で囲まれた空間が、配線収容部とされ、前記延出壁部は、前記連結部の幅方向両端部に対して内方にオフセットして形成されているようにしてもよい。
これにより、連結部が床面から上方に浮いたように見え、連結部が薄く見えて外観が向上する。
【００１３】
また、この発明に係る天板付家具は、上記天板付家具において、前記延出壁部が、前記連結部が連続する方向に沿って延びるリブであるようにしてもよい。
このように構成することで、延出壁部は、連結部の補強要素としても機能し、下部連結部材の強度を高めることができる。
【００１４】
また、この発明に係る天板付家具は、上記天板付家具において、前記連結部の幅方向両側に設けられた前記延出壁部の間に、前記脚と前記下部連結部材とを連結する連結具、および前記床面に接地して前記脚の高さ調整を行うアジャスタの少なくとも一方が設けられているようにしてもよい。
これにより、ボルト等の連結具やアジャスタが外部に露呈するのを防ぎ、外観を向上させることができる。
【００１６】
また、この発明に係る天板付家具は、床面上に起立する複数の脚と、複数の前記脚の上部に支持される天板と、前記床面に沿って設けられ、複数の前記脚の下部同士を連結する下部連結部材と、を備え、前記下部連結部材には、前記脚の下部同士を連結する方向に沿って連続する配線収容部が形成され、前記脚に、上下方向に連続する配線挿通空間が形成され、前記脚の下面又は側面に、前記配線収容部と前記配線挿通空間とを連通する連通部が形成され、前記下部連結部材が、前記脚の下端部に下方から突き当たるよう設けられ、前記下部連結部材には、前記脚の下端部に突き当たる部位に、下方の前記配線収容部と前記脚の配線挿通空間とを連通する開口部が形成されているようにしてもよい。
このように構成することで、下部連結部材の下方の配線収容部に収容されて床面に沿う配線は、下部連結部材に形成された開口部、および脚に形成された連通部を通して脚内の配線挿通空間に導かれる。これにより、配線が露出するのを抑えることができる。
【発明の効果】
【００１７】
この発明に係る天板付家具によれば、強度を高めつつ、使用者の下肢との干渉を抑えるとともに、配線の露出を抑えて、外観を向上することが可能となる。
【図面の簡単な説明】
【００１８】
【図１】この発明の一実施形態に係るテーブルの全体構成を示す斜視図である。
【図２】上記テーブルの脚の構成を示す斜視図である。
【図３】上記テーブルを第一の方向から見た断面図である。
【図４】上部連結部材と天板との連結構造を示す断面図である。
【図５】上部連結部材と連結ビームとの連結構造を示す平断面図である。
【図６】下部連結部材を下方から見た図である。
【図７】下部連結部材と脚の下端部との連結構造を示す断面図である。
【図８】図７におけるＤ−Ｄ矢視断面図である。
【発明を実施するための形態】
【００１９】
以下、添付図面を参照して、本発明による天板付家具を実施するための形態を説明する。しかし、本発明はこの実施形態のみに限定されるものではない。
【００２０】
図１は、この発明の一実施形態に係るテーブルの全体構成を示す斜視図である。図２は、上記テーブルの脚の構成を示す斜視図である。
図１、図２に示すように、テーブル（天板付家具）１０は、床面Ｆ上に起立する複数の脚２０と、上部連結部材４０（図２参照）と、下部連結部材５０と、これら複数の脚２０上に支持される天板３０と、を備えている。
【００２１】
この実施形態のテーブル１０において、天板３０は、例えば平面視楕円形状で、その上面３０ｆに沿った第一の方向Ｘに短く、上面３０ｆに沿った面内で第一の方向Ｘに直交する第二の方向Ｙに長く形成されている。天板３０は、平面視楕円形状に限らず、長円形、長方形等の平面視形状としてもよい。
【００２２】
図２に示すように、脚２０は、天板３０において第二の方向Ｙの一方の側と他方の側とに、それぞれ２本ずつ設けられている。各脚２０は、平面視略長方形状で、第一の方向Ｘおよび第二の方向Ｙに対して傾斜し、その長手方向が、天板３０の第一の方向Ｘにおける中心部から離間するにしたがって、第二の方向Ｙの外方に向かって延びるよう配置されている。
【００２３】
上部連結部材４０は、複数の脚２０の上端部２０ｔ同士を連結する。上部連結部材４０は、上部ビーム４２と、第一ビーム４３と、第二ビーム４４と、を備える。
【００２４】
上部ビーム４２は、各脚２０の上端部２０ｔに固定され、各脚２０よりも第二の方向Ｙに沿って天板３０の内方に向かうにしたがって、第一の方向Ｘの中心部に向かって斜めに延出して設けられている。
【００２５】
第一ビーム４３は、天板３０の第二の方向Ｙにおける一方の側と他方の側のそれぞれにおいて、第一の方向Ｘに沿って延びるように設けられている。第一ビーム４３は、第一の方向Ｘにおいて互いに隣接する上部ビーム４２、４２同士を連結する。
【００２６】
これら上部ビーム４２および第一ビーム４３により、天板３０の上面に沿った第一の方向Ｘにおいて互いに隣接する脚２０の上端部２０ｔ同士を連結する端部連結部４１が形成されている。
【００２７】
第二ビーム４４は、第一の方向Ｘに互いに間隔を空けて二本一対で設けられている。それぞれの第二ビーム４４は、第二の方向Ｙに沿って延び、第二の方向Ｙにおいて互いに隣接する上部ビーム４２、４２同士を連結する。
【００２８】
図３は、テーブルを第一の方向から見た断面図である。図４は、上部連結部材と天板との連結構造を示す断面図である。
また、図２、図３に示すように、第二ビーム４４、４４間には、第二の方向Ｙに沿って間隔を空けて複数の連結ビーム４９が設けられている。各連結ビーム４９は、第一の方向Ｘに沿って延び、その両端部が、後述する連結金具７２を介して第二ビーム４４、４４に連結されている。これにより、これら二本の第二ビーム４４、４４と、複数の連結ビーム４９とが、平面視梯子状に連結されている。
【００２９】
第一ビーム４３、第二ビーム４４、連結ビーム４９は、それぞれ以下に示すようなビーム材６０によって形成されている。
図４に示すように、各ビーム材６０は、その軸方向に直交する断面が、上下方向に長い略長方形状で、その一つの側面６０ａに、上下に間隔を空けて２本の溝６２が形成されている。
【００３０】
各溝６２は、ビーム材６０の軸方向に沿って、ビーム材６０の全長にわたって連続して形成されている。各溝６２は、ビーム材６０の側面６０ａにおいて上下方向における開口幅ｓ１に対し、溝底部６２ｂ側の上下方向における開口幅ｓ２が広い、いわゆるアリ溝状に形成されている。
【００３１】
第一ビーム４３、第二ビーム４４を構成するビーム材６０は、溝６２が形成された側面６０ａを、テーブル１０の内方に向けて配置されている。このビーム材６０は、その上面６０ｔを天板３０の下面３０ｂに突き当てた状態で、取付金具７１を介して天板３０に固定されている。
【００３２】
取付金具７１は、天板３０の下面３０ｂに突き当たる第一平面部７１ａと、第一平面部７１ａに直交してビーム材６０の側面６０ａに突き当たる第二平面部７１ｂと、を有している。取付金具７１は、第二の方向Ｙを向く面が略直角三角形状をなしている。取付金具７１には、第一平面部７１ａに直交して貫通する挿通孔７１ｈと、第二平面部７１ｂに直交して貫通する挿通孔７１ｊとが形成されている。
【００３３】
このような取付金具７１に対し、ボルト８０を、挿通孔７１ｈを通して天板３０の下面３０ｂに予め形成されたネジ穴３０ｈにねじ込むことで、取付金具７１と天板３０とが連結される。また、第一ビーム４３、第二ビーム４４を構成するビーム材６０の上方の溝６２内に、雌ネジ孔８２ｎが形成された座部材８２を挿入するとともに、ボルト８１を、挿通孔７１ｊを通して溝６２内の座部材８２にねじ込むことで、取付金具７１と、ビーム材６０からなる第一ビーム４３、第二ビーム４４とが連結される。
このようにして、第一ビーム４３、第二ビーム４４が複数の取付金具７１を介して天板３０の下面３０ｂに固定されることで、上部連結部材４０が天板３０の下面３０ｂに連結されている。
【００３４】
天板３０は、例えば、パネル状の芯材３１と、その上下の表面３１ｆ、３１ｇを覆う表皮材３２，３３と、から構成されている。芯材３１は、アルミニウム合金製、またはボール紙、段ボール紙等の厚紙製等で、上下方向に貫通する断面六角形状の孔３１ｈが、表面３１ｆ、３１ｇに沿った面内で多数配列されたハニカム構造を有している。表皮材３２、３３は、樹脂系材料、木質材料等からなり、芯材３１の上下の表面３１ｆ、３１ｇにそれぞれ接着されている。
【００３５】
図５は、上部連結部材と連結ビームとの連結構造を示す平断面図である。
図２、図５に示すように、連結ビーム４９は、その両端部が、連結金具７２を介して、第二ビーム４４、４４を構成するビーム材６０、６０に連結されている。
図５に示すように、連結金具７２は、第二ビーム４４のビーム材６０の側面６０ａに突き当たる第一平面部７２ａと、第一平面部７２ａに直交して連結ビーム４９のビーム材６０の側面６０ａに突き当たる第二平面部７２ｂと、を有し、平面視略直角三角形状をなしている。連結金具７２には、第一平面部７２ａに直交して貫通する挿通孔７２ｈと、第二平面部７２ｂに直交して貫通する挿通孔７２ｊとが形成されている。このような連結金具７２は、上記取付金具７１と同じものを向きを変えて流用することもできる。
【００３６】
このような連結金具７２に対し、ボルト８３を挿通孔７２ｈに挿通させ、その先端部を、第二ビーム４４を構成するビーム材６０の上方の溝６２内に挿入した座部材８２にねじ込むことで、連結金具７２と第二ビーム４４（ビーム材６０）とが連結される。また、連結ビーム４９を構成するビーム材６０の上方の溝６２内に座部材８２を挿入するとともに、ボルト８４を、挿通孔７２ｊを通して溝６２内の座部材８２にねじ込むことで、連結金具７２と連結ビーム４９（ビーム材６０）とが連結される。
【００３７】
図２、図３に示すように、下部連結部材５０は、床面Ｆに沿って設けられ、複数の脚２０の下端部（下部）２０ｂ同士を連結する。
【００３８】
図６は、下部連結部材を下方から見た図である。
図２、図６に示すように、下部連結部材５０は、天板３０において第二の方向Ｙの一方の側と他方の側のそれぞれに設けられた端部プレート５１、５１と、これら端部プレート５１、５１同士を連結する連結ビーム５２と、を備える。
【００３９】
各端部プレート５１は、天板３０の第一の方向Ｘにおける中心部に位置する基部５１ａと、基部５１ａから第二の方向Ｙに沿って天板３０の外方に向かうにしたがって第一の方向Ｘの両側方に延びるように形成された延出部５１ｂ，５１ｂと、を有している。基部５１ａおよび延出部５１ｂ，５１ｂは、Ｖ字状をなしている。
【００４０】
連結ビーム５２は、天板３０の第一の方向Ｘにおける中心部において第二の方向Ｙに沿って延びて形成されている。図６に示すように、連結ビーム５２は、その両端部５２ａ，５２ａが、第二の方向Ｙの一方の側の端部プレート５１の基部５１ａと、他方の側の端部プレート５１の基部５１ａとにそれぞれ、ボルト・ナット５３を介して連結されている。
【００４１】
図２に示すように、このような上部連結部材４０および下部連結部材５０は、第二ビーム４４、４４、および連結ビーム５２が、第一の方向Ｘにおいて天板３０の外周端部３０ｓよりも内方に配置されている。また、上部連結部材４０および下部連結部材５０は、第一ビーム４３、４３、および端部プレート５１の延出部５１ｂ、５１ｂが、第二の方向Ｙにおいて天板３０の外周端部３０ｓよりも平面視において内方に配置されている。これにより、上部連結部材４０を平面視すると、互いに隣接する脚２０同士の間に、天板３０の内方に向かって凹となる部分（凹部）１００Ａが形成されている。また、下部連結部材５０を平面視すると、互いに隣接する脚２０同士の間に、天板３０の内方に向かって凹となる部分（凹部）１００Ｂが形成されている。
【００４２】
図７は、下部連結部材と脚の下端部との連結構造を示す断面図である。図８は、図７におけるＤ−Ｄ矢視断面図である。
図６、図７、図８に示すように、下部連結部材５０を構成する端部プレート５１の基部５１ａ（図６参照）および延出部５１ｂ、５１ｂ、連結ビーム５２（図６参照）は、それぞれ、上下方向に薄い板状のプレート部（連結部）５５と、プレート部５５の下面５５ｂに一体に形成され、下面５５ｂから下方に向かって延出する延出壁部５６と、を備えている。延出壁部５６は、プレート部５５の幅方向（プレート部５５が連続する方向に直交する水平方向）の両側に、それぞれ、プレート部５５の長手方向に沿って連続して形成されている。図６、図８に示すように、それぞれの延出壁部５６は、プレート部５５の幅方向端部５５ｓに対し、幅方向の内方に所定寸法オフセットして形成されている。延出壁部５６は、プレート部５５の剛性を高めるリブとして機能している。
【００４３】
このようにして、下部連結部材５０の下側には、プレート部５５の下面５５ｂと、幅方向両側の延出壁部５６、５６に囲まれた下向きコ字状の配線収容部Ｃｓが形成されている。
【００４４】
図７、図８に示すように、下部連結部材５０の端部プレート５１の各延出部５１ｂ上には、脚２０が設けられている。下部連結部材５０の端部プレート５１は、脚２０の下端部２０ｂに下方から突き当たっている。延出部５１ｂにおいて、脚２０の下端部２０ｂの下方に位置する脚支持部５１ｃは、プレート部５５の上下方向の厚さＴ１が、それ以外の部分（脚２０が設置されていない部分）におけるプレート部５５の厚さＴ２よりも大きく設定されている。
【００４５】
また、図６、図８に示すように、脚支持部５１ｃには、プレート部５５を上下に貫通する配線挿通孔（開口部）５７、５７が形成されている。
さらに、脚支持部５１ｃには、配線挿通孔５７、５７に対して延出部５１ｂの長手方向両側に、ボルト挿通孔５８、５８がプレート部５５を上下に貫通して形成されている。加えて、脚支持部５１ｃには、配線挿通孔５７、５７の間に、雌ネジ孔５９がプレート部５５を上下に貫通して形成されている。
これらの配線挿通孔５７、ボルト挿通孔５８，５８、雌ネジ孔５９は、プレート部５５の幅方向両側の延出壁部５６，５６の間に形成されている。
【００４６】
図７に示すように、脚２０は、平面視略長方形状をなして脚２０の外殻をなす中空の筒体２１と、筒体２１の内部に設けられた区画壁２２および固定プレート部２３と、を備える。区画壁２２は、筒体２１内において、脚２０の平面視形状の長手方向Ｑに沿って間隔を空けて、２枚が設けられている。それぞれの区画壁２２は、筒体２１の長手方向Ｑの両端部に位置する側壁部２１ａ，２１ａのそれぞれに対し、長手方向Ｑに間隔を空けて対向するよう設けられている。これにより、脚２０の筒体２１の内方において、区画壁２２，２２の間には、上下方向に連続する配線挿通空間Ｓｈが形成されている。脚２０は、その下端部２０ｂに、下方に向かって開口し、配線挿通空間Ｓｈに連通する連通部２９が形成されている。また、脚２０の上端部２０ｔ（図２参照）も、上方に向かって開口し、配線挿通空間Ｓｈに連通している。
【００４７】
固定プレート部２３は、筒体２１の長手方向Ｑの両端部のそれぞれにおいて、側壁部２１ａと区画壁２２とを結ぶように設けられている。この固定プレート部２３は、下部連結部材５０の端部プレート５１の脚支持部５１ｃに対し、上方に間隔を空けて対向し、脚２０の最下端２０ｓよりも所定寸法上方に設けられている。また、固定プレート部２３には、上下に貫通するボルト挿通孔２３ｈが形成されている。
【００４８】
このような脚２０は、下部連結部材５０の端部プレート５１の脚支持部５１ｃ上に載置された状態で、プレート部５５の下方から、ボルト挿通孔５８、５８のそれぞれにボルト（連結具）９０を挿通させ、その先端部９０ｓを、固定プレート部２３のボルト挿通孔２３ｈを通して上方に突出させる。ボルト９０の先端部９０ｓにナット９１を螺着させることで、脚２０が下部連結部材５０の端部プレート５１の脚支持部５１ｃに連結される。ここで、ボルト９０の頭部９０ｂは、プレート部５５の下面５５ｂに突き当たった状態で、床面Ｆに接触しないよう、延出壁部５６，５６の下方に向けての突出高さよりも低く形成されている。
【００４９】
このようにして脚２０の下端部２０ｂが接合された端部プレート５１の脚支持部５１ｃにおいて、配線挿通孔５７、５７は、脚２０の区画壁２２、２２の間の配線挿通空間Ｓｈに連通する。
【００５０】
また、下部連結部材５０の端部プレート５１の脚支持部５１ｃには、プレート部５５の下方から、配線挿通孔５７、５７間の雌ネジ孔５９にアジャスタ９２のネジ軸部９２ｎがねじ込まれている。アジャスタ９２は、ネジ軸部９２ｎの軸回りに回転させることで、下方に向かって出没し、アジャスタ９２の下端に形成された円盤状の接地部９２ａを床面Ｆに接地させることができる。これにより、床面Ｆの不陸を吸収してテーブル１０のレベル調整を行うことができる。
【００５１】
このような構成のテーブル１０においては、床面Ｆに沿う配線２００を、下部連結部材５０の下側で、プレート部５５の下面５５ｂと、幅方向両側の延出壁部５６、５６に囲まれて形成された配線収容部Ｃｓ内に収容し、下部連結部材５０の連結ビーム５２、端部プレート５１に沿って脚２０の下方まで導くことができる。配線２００は、脚２０の下方において、端部プレート５１の脚支持部５１ｃに形成された配線挿通孔５７を通し、脚２０内に形成された配線挿通空間Ｓｈに挿通される。配線２００は、配線挿通空間Ｓｈを通して脚２０の上部まで導かれ、脚２０の上端部に形成された図示しない開口を通し、天板３０へと案内される。
【００５２】
上述したような構成のテーブル１０においては、床面Ｆ上に起立する複数の脚２０と、複数の脚２０上に支持される天板３０と、床面Ｆに沿って設けられ、複数の脚２０の下端部２０ｂ同士を連結する下部連結部材５０と、を備え、下部連結部材５０の下面に、脚２０の下端部２０ｂ同士を連結する方向に沿って連続する配線収容部Ｃｓが形成されている。
このように、複数の脚２０で隣り合う脚２０の下端部２０ｂ同士を下部連結部材５０で連結することで、それぞれの脚２０が強固に固定される。これにより、脚２０を太くするのを抑えつつ、複数の脚２０と下部連結部材５０とからなる構造体としての強度を高めることができる。
また、下部連結部材５０は、床面Ｆに沿って設けられるので、下部連結部材５０が使用者の下肢に干渉するのを抑えることができる。また、下部連結部材５０の下面に形成された配線収容部Ｃｓに、床面Ｆに沿う配線２００を収容することができるので、天板３０の下方において配線２００が露出することを抑え、使用者の下肢と配線との干渉を抑えることができる。これにより、天板３０の下方において下肢収容空間を確保することができる。
したがって、このようなテーブル１０によれば、脚２０の強度を高めつつ、使用者の下肢との干渉を抑えるとともに、配線２００の露出を抑えて、外観の体裁、使用感の向上を図ることが可能となる。
【００５３】
また、下部連結部材５０が、脚２０の下端部２０ｂ同士を連結する方向に連続するプレート部５５と、プレート部５５の下面から下方に突出し、プレート部５５の幅方向両側に間隔を空けて形成された延出壁部５６と、を備え、プレート部５５および延出壁部５６で囲まれた空間が、配線収容部Ｃｓとされている。このように構成することで、プレート部５５と両側の延出壁部５６とにより、下向きコ字状の配線収容部Ｃｓを容易に形成することができる。
また、下部連結部材５０はプレート部５５と両側の延出壁部５６とにより下向きコ字状をなすため、プレート部５５が両側の延出壁部５６により補強され、強固なものとなる。このような下部連結部材５０により、複数の脚２０の下端部２０ｂ同士を強固に連結することができる。
さらに、下部連結部材５０の上面がプレート部５５とされることで、床面Ｆから上方への突出寸法を抑えることができる。
【００５４】
また、延出壁部５６、５６は、プレート部５５の幅方向両端部５５ｓ、５５ｓに対して幅方向内方にオフセットして形成されている。これにより、プレート部５５が床面Ｆから上方に浮いたように見え、プレート部５５が薄く見えて外観が向上する。
【００５５】
また、延出壁部５６が、プレート部５５が連続する方向に沿って延びるリブであるので、延出壁部５６は、プレート部５５の補強要素としても機能し、下部連結部材５０の強度を高めることができる。
【００５６】
また、プレート部５５の幅方向両側に設けられた延出壁部５６の間に、脚２０と下部連結部材５０とを連結するボルト９０、および床面Ｆに接地して脚２０の高さ調整を行うアジャスタ９２が設けられている。これにより、ボルト等のボルト９０やアジャスタ９２が外部に露呈するのを防ぎ、外観を向上させることができる。
【００５７】
また、脚２０に、上下方向に連続する配線挿通空間Ｓｈが形成され、脚２０の下面に、配線収容部Ｃｓと配線挿通空間Ｓｈとを連通する連通部２９が形成されている。このように構成することで、下部連結部材５０の下方の配線収容部Ｃｓに収容されて床面Ｆに沿う配線２００は、連通部２９を通して脚２０内の配線挿通空間Ｓｈに導かれる。これにより、配線２００が露出するのをさらに抑えることができる。
【００５８】
また、下部連結部材５０が、脚２０の下端部２０ｂに下方から突き当たるよう設けられ、下部連結部材５０には、脚２０の下端部２０ｂに突き当たる部位に、下方の配線収容部Ｃｓと脚２０の配線挿通空間Ｓｈとを連通する配線挿通孔５７が形成されている。このように構成することで、下部連結部材５０の下方の配線収容部Ｃｓに収容されて床面Ｆに沿う配線２００は、下部連結部材５０に形成された配線挿通孔５７を通して脚２０内の配線挿通空間Ｓｈに導かれる。これにより、配線２００が露出するのを抑えることができる。
【００５９】
また、上記テーブル１０においては、複数の脚２０で隣り合う脚２０同士を、下部連結部材５０と上部連結部材４０とで連結することで、それぞれの脚２０が上端部２０ｔと下端部２０ｂで強固に固定される。これにより、脚２０を太くするのを抑えて、複数の脚２０と、下部連結部材５０と、上部連結部材４０とからなる、天板３０の支持構造体の強度を高めることができる。
また、下部連結部材５０および上部連結部材４０は、互いに隣接する脚２０同士の間に、天板３０の内方に向かって凹となる部分１００Ａ、１００Ｂを有しているので、この凹となる部分１００Ａ、１００Ｂに、使用者の下肢を収容することができる。
その結果、脚２０の強度を高めつつ、天板３０の下方において使用者の下肢と干渉するのを抑え、下肢収容空間を広く確保することが可能となる。
【００６０】
また、下部連結部材５０および上部連結部材４０は、端部連結部４１、端部プレート５１により、第一の方向Ｘにおいて互いに隣接する脚２０同士を連結する。さらに、下部連結部材５０および上部連結部材４０は、第二ビーム４４、連結ビーム５２により、第二の方向Ｙにおいて互いに対向する端部連結部４１、端部プレート５１同士を連結する。このように構成することで、天板３０において第二の方向Ｙに沿った一方の側と他方の側に大きな間隔を空けて、それぞれ複数の脚２０が設けられていても、複数の脚２０の上端部２０ｔ同士、下端部２０ｂ同士を強固に一体に連結することができる。
【００６１】
（その他の実施形態）
なお、本発明の天板付家具は、図面を参照して説明した上述の実施形態に限定されるものではなく、その技術的範囲において様々な変形例が考えられる。
例えば、上記実施形態においては、上部連結部材４０を備えているが、上部連結部材４０は必須の構成ではない。また、上部連結部材４０を備える場合、その構成は他のいかなるものとしてもよい。
また、下部連結部材５０を平面視したときの形状も、脚の本数や配置等に応じて適宜変更しても構わない。
さらに、下部連結部材５０に形成される配線収容部Ｃｓは、下向きコ字状に限らず、下向きに開口した半円状、半楕円状等としても良い。
【００６２】
また、下部連結部材５０は、４本の脚２０を一体的に連結しているが、連結する脚２０の本数、方向等は適宜選択可能である。例えば、下部連結部材が、第一の方向Ｘに隣り合う脚２０同士を連結する構成であってもよいし、第二の方向Ｙに隣り合う脚２０同士を連結する構成であってもよい。また、下部連結部材が、第一の方向Ｘ及び第二の方向Ｙに交差する斜め方向に対向する脚２０同士を連結する構成であってもよい。
【００６３】
加えて、下部連結部材５０が、脚２０の下端部２０ｂに下方から突き当たるよう設けられるようにしたが、下部連結部材５０と脚２０の下端部２０ｂとの連結強度を確保することができるのであれば、下部連結部材５０は、脚２０の下端部２０ｂの側面に突き当たるように設けてもよい。この場合、下部連結部材５０の配線収容部Ｃｓに収容された配線２００を脚２０の配線挿通空間Ｓｈ内に導入するため、脚２０の下端部２０ｂの側面に、配線収容部Ｃｓと配線挿通空間Ｓｈとを連通する連通部を形成すればよい。
【００６４】
また、下部連結部材５０において、延出壁部５６を、プレート部５５の長手方向に沿って連続するリブ状に形成したが、これに限らない。延出壁部５６は、プレート部５５の長手方向に沿って、不連続に形成するようにしてもよい。この場合には、延出壁部５６、５６間の空間が、プレート部５５の長手方向に沿って断続的に形成され、これら延出壁部５６、５６間の空間を結ぶように長手方向に沿って連続する配線収容部が形成される。また、プレート部５５の長手方向において互いに前後する延出壁部５６、５６の隙間を通して、床面Ｆ上を沿う配線２００を配線収容部Ｃｓ内に導入することもできる。
さらに、下部連結部材５０を、プレート部５５と、延出壁部５６とからなる下向きコ字状としたが、これに限らない。例えば、下部連結部材５０を、床面Ｆに沿って連続する角管状とし、その内部を完全に閉塞された配線収容部Ｃｓとすることもできる。
【００６５】
さらに、上記実施形態で示したテーブル１０を構成する脚２０、天板３０、上部連結部材４０、下部連結部材５０等の部材の材質については、何ら問うものではなく、木系材料、金属系材料、樹脂系材料、あるいはこれらを組み合わせて形成した構成としてもよい。
加えて、テーブル１０に限らず、デスク、カウンター等、他の天板付家具においても、本発明は同様に適用することができる。
これ以外にも、本発明の主旨を逸脱しない限り、上記実施の形態で挙げた構成を取捨選択したり、他の構成に適宜変更したりすることが可能である。
【符号の説明】
【００６６】
１０  テーブル（天板付家具）
２０  脚
２０ｂ  下端部（下部）
２９  連通部
３０  天板
３０ｂ  下面
５０  下部連結部材
５５  プレート部（連結部）
５５ｂ  下面
５６  延出壁部
５７  配線挿通孔（開口部）
９０  ボルト（連結具）
９２  アジャスタ
２００  配線
Ｃｓ  配線収容部
Ｆ  床面
Ｓｈ  配線挿通空間
【図１】
0006628502.tif 000002
【図２】
0006628502.tif 000003
【図３】
0006628502.tif 000004
【図４】
0006628502.tif 000005
【図５】
0006628502.tif 000006
【図６】
0006628502.tif 000007
【図７】
0006628502.tif 000008
【図８】
0006628502.tif 000009